(57)【要約】【課題】スキャナ付きプリンタにおいて、原稿をセットして原稿カバーを閉じるだけで画像読み取り動作が稼動する構成として、操作性の向上を図りつつ、原稿カバーが開閉されずに原稿取り忘れがあったなら、自動的にその旨をユーザに報知することを可能とする。【解決手段】カバー開閉検知スイッチにより原稿カバーの開から閉が検知されたときに（Ｓ１，Ｓ２）、原稿読取センサにより自動的に原稿の有無を検知し（Ｓ３）、原稿が検知されたとき、原稿読取センサにより原稿をオートスキャンし（Ｓ５）、印字ヘッドにより走査画像を印刷する（Ｓ６）。その後、再び、原稿カバーの開閉動作の有無を確認し（Ｓ７）、原稿カバーの開閉動作が無ければ、原稿取り忘れであると判断して、エラー表示する（Ｓ８）。こうして、原稿カバーの開閉動作で自動的にスキャン及び印刷動作を開始させると共に、原稿取り忘れをユーザに報知して取り忘れを防止する。【選択図】図３
2006217103.tif 000002
【特許請求の範囲】
【請求項１】
原稿載置台上に開閉自在に保持された原稿カバーの開閉を検知するカバー開閉検知手段と、原稿載置台上に原稿が有るか否かを検知する原稿検知手段と、原稿を光学的に走査する画像走査手段と、前記画像走査手段により走査した画像を印刷する印刷手段と、前記各手段を制御する制御手段とを備え、
前記カバー開閉検知手段により原稿カバーの開から閉が検知されたときに、前記制御手段の制御により、前記原稿検知手段は自動的に原稿の有無を検知し、原稿が検知されたとき、前記画像走査手段は原稿を自動的に走査し、前記印刷手段は走査した画像を印刷するスキャナ付きプリンタにおいて、
前記印刷手段により画像を印刷した後、又は、連続走査設定時に走査した原稿画像を記憶手段に保存した後、前記制御手段は、前記カバー開閉検知手段による原稿カバーの開閉動作の有無を調べて、開閉動作が無ければ、原稿取り忘れであると判断して、その旨をユーザに報知する報知手段と、
原稿走査を連続して行うか否かをユーザに選択させる選択手段とを備え、
前記選択手段により連続走査が設定されているとき、走査した原稿画像を記憶手段に保存した後、前記カバー開閉検知手段による原稿カバーの開閉動作の有無を調べ、開閉動作が有れば、前記原稿検知手段により原稿載置台上に原稿が有るか否かを検知し、原稿が検知されたときは再度、前記画像走査手段により原稿を自動的に走査し、走査した原稿画像を記憶手段に保存する動作を繰り返し、原稿が検知されなければ、前記記憶手段に保存した画像を前記印刷手段により連続印刷し、
原稿カバーの開閉動作で自動的に印刷動作を開始すると共に原稿走査又は印刷動作の後における原稿取り忘れを防止することを特徴とするスキャナ付きプリンタ。
【請求項２】
原稿載置台上に開閉自在に保持された原稿カバーの開閉を検知するカバー開閉検知手段と、原稿載置台上に原稿が有るか否かを検知する原稿検知手段と、原稿を光学的に走査する画像走査手段と、前記画像走査手段により走査した画像を印刷する印刷手段と、前記各手段を制御する制御手段とを備え、
前記カバー開閉検知手段により原稿カバーの開から閉が検知されたときに、前記制御手段の制御により、前記原稿検知手段は自動的に原稿の有無を検知し、原稿が検知されたとき、前記画像走査手段は原稿を自動的に走査し、前記印刷手段は走査した画像を印刷するスキャナ付きプリンタにおいて、
原稿を走査した後、前記制御手段は、前記カバー開閉検知手段による原稿カバーの開閉動作の有無を調べて、開閉動作が無ければ、原稿取り忘れであると判断して、その旨をユーザに報知する報知手段を備え、
原稿カバーの開閉動作で自動的に印刷動作を開始すると共に原稿取り忘れを防止することを特徴とするスキャナ付きプリンタ。
【請求項３】
原稿走査を連続して行うか否かをユーザに選択させる選択手段を備え、
この選択手段により連続走査が設定されているとき、走査した原稿画像を記憶手段に保存した後、前記カバー開閉検知手段により原稿カバーの開閉検知を行うことを特徴とする請求項２記載のスキャナ付きプリンタ。
【発明の詳細な説明】
【技術分野】
【０００１】
本発明は、原稿載置台に載置された原稿を光学的に走査して読み取り、印刷するスキャナ付きプリンタに関する。
【背景技術】
【０００２】
従来から、スキャナ付プリンタは、プリンタは勿論のこと、ファクシミリやコピー機などとして適用され、これらの機器は、通常、原稿載置台に原稿を載置し、原稿カバーを閉じてからコピースタートボタンを押すことによって、原稿画像を読み取る機能が稼動するように構成されている（例えば、特許文献１参照）。また、原稿カバー開閉動作に連動して原稿の有無を検出する原稿読取装置において、原稿が原稿台上に有るときは原稿を照明する光源を点灯させ、原稿読み取り開始要求があるのを待機するようにした装置が知られている（例えば、特許文献２参照）。
【０００３】
ところが、上記特許文献１，２に示されるような装置においては、原稿カバーを閉じてからさらにコピースタートボタンを押すという動作が加わっているため、操作動作が増え、原稿画像の読み取り完了までの所要時間が長くなる問題があった。
【０００４】
そこで、原稿をセットして原稿カバーを閉じるだけで画像読み取り動作が稼動する構成とし、コピースタートボタンを押す手間を省いた画像読み取り装置が提案されている（例えば、特許文献３参照）。また、２枚目以降の原稿について原稿カバーの閉を検知したとき読取を開始する装置が提案されている（例えば、特許文献４参照）。また、連続印字を行う場合に、印字動作が終了する度に新たな設定をする必要がないようにして操作性を向上した装置が知られている（例えば、特許文献５参照）。
【特許文献１】特開２００３−３０７７８７号公報
【特許文献２】特開平３−２０４２６６号公報
【特許文献３】特開平５−１２７４５０号公報
【特許文献４】特開２００３−１５２９６２号公報
【特許文献５】特開平１０−３２６８６号公報
【発明の開示】
【発明が解決しようとする課題】
【０００５】
しかしながら、上記特許文献３，４に示されるような構成では、ユーザが原稿台上に読取り済みの原稿を取り忘れるようなことがあると、それは原稿カバーが開閉されないことから、原稿の有無検知も行われないので、原稿取り忘れをユーザに報知するといった動作をさせることができない。また、上記特許文献５に示される構成は、原稿カバー開閉動作と原稿読み取り動作とが関連するものではない。
【０００６】
本発明は、上記問題点に鑑み、何ら特別な構成を付加することなく、原稿をセットして原稿カバーを閉じるだけで画像読み取り動作が稼動する構成として操作性を向上しつつ、原稿カバーが開閉されずに原稿取り忘れがあったなら、自動的にその旨をユーザに報知することが可能な、スキャナ付きプリンタを提供することを目的とする。
【課題を解決するための手段】
【０００７】
上述目的を達成するため、本発明は、原稿載置台上に開閉自在に保持された原稿カバーの開閉を検知するカバー開閉検知手段と、原稿載置台上に原稿が有るか否かを検知する原稿検知手段と、原稿を光学的に走査する画像走査手段と、前記画像走査手段により走査した画像を印刷する印刷手段と、前記各手段を制御する制御手段とを備え、前記カバー開閉検知手段により原稿カバーの開から閉が検知されたときに、前記制御手段の制御により、前記原稿検知手段は自動的に原稿の有無を検知し、原稿が検知されたとき、前記画像走査手段は原稿を自動的に走査し、前記印刷手段は走査した画像を印刷するスキャナ付きプリンタにおいて、前記印刷手段により画像を印刷した後、又は、連続走査設定時に走査した原稿画像を記憶手段に保存した後、前記制御手段は、前記カバー開閉検知手段による原稿カバーの開閉動作の有無を調べて、開閉動作が無ければ、原稿取り忘れであると判断して、その旨をユーザに報知する報知手段と、原稿走査を連続して行うか否かをユーザに選択させる選択手段とを備え、前記選択手段により連続走査が設定されているとき、走査した原稿画像を記憶手段に保存した後、前記カバー開閉検知手段による原稿カバーの開閉動作の有無を調べ、開閉動作が有れば、前記原稿検知手段により原稿載置台上に原稿が有るか否かを検知し、原稿が検知されたときは再度、前記画像走査手段により原稿を自動的に走査し、走査した原稿画像を記憶手段に保存する動作を繰り返し、原稿が検知されなければ、前記記憶手段に保存した画像を前記印刷手段により連続印刷し、原稿カバーの開閉動作で自動的に印刷動作を開始すると共に原稿走査又は印刷動作の後における原稿取り忘れを防止するものである。
【発明の効果】
【０００８】
本発明のスキャナ付きプリンタによれば、原稿カバーの開閉が検知されたとき、自動的に原稿の有無が検知され、原稿が検知されたなら、原稿は自動的に走査され、走査画像が印刷され、画像印刷後、又は、連続走査設定時には走査した原稿画像を記憶手段に保存した後、原稿カバーの開閉動作の有無を調べて、開閉動作が無ければ、原稿取り忘れであるとして、その旨をユーザに報知する。こうして、原稿読取を開始させるためのスタートボタン等を操作することなく、原稿載置台に原稿を載置する原稿カバーの開閉動作が行われるだけで自動的に印刷動作を開始させることができると共に、原稿走査又は印刷動作の後における原稿取り忘れを防止することができる。また、連続走査設定時には、連続走査した原稿画像を記憶手段に保存してから、最後の１枚の原稿を取り除いて始めて連続印刷するので、忘れ易い最後の１枚の原稿取り忘れがなくなる。
【発明を実施するための最良の形態】
【０００９】
以下、本発明の一実施形態に係るスキャナ付きプリンタについて図面を参照して説明する。図１はスキャナ付きプリンタの外観構成を示す。スキャナ付きプリンタ１は、原稿画像を光学的に走査して読み取り、その読み取り画像を印刷する機能を持ち、本体ケース２の上面に設けられた原稿３が載置される原稿ガラスから成る原稿載置台４と、支点５の回りに回動して原稿載置台４の上面を開閉する原稿カバー６と、原稿カバー６の開閉を検知するための原稿カバー開閉検知スイッチ７（原稿カバー開閉検知手段）と、ユーザが設定操作する操作部８と、各種表示を行うＬＣＤ（Liquid Crystal Display）等の表示デバイス９（報知手段）と、印刷された記録紙が排出される排出口１０と、外部メモリカードが差し込まれるカードリーダのスロット１１を備えている。また、本体ケース２内には、原稿を走査して読み取るための画像走査手段、印刷動作を行うための印刷手段、セットされた記録紙を搬送する搬送手段、これら各手段を制御する制御手段等が内装されている。印刷手段としては、例えば、インクジェット方式を採用すればよい。
【００１０】
図２は同プリンタ１の制御ブロック構成を示す。コントローラ２０は原稿読み取り走査と印刷動作を制御する制御手段を構成する。ＣＩＳ（Contact Image Sensor）等で成る原稿読取センサ２１とこれをスキャン動作させるセンサスキャン装置２２は画像走査手段を構成し、印字ヘッド２３と印字ヘッド駆動装置２４は印刷手段を構成し、記録紙搬送装置２５は搬送手段を構成する。カードリーダ２７は、外部メモリカード２６（記憶手段）に保存されたデータを読み出し、又は書き込み保存するものである。
【００１１】
コントローラ２０は、読み取った画像データを一時的に保存する内蔵メモリを備えている。連続スキャンモードを設定する設定キー２８（選択手段）と、連続スキャンモードでの印刷を設定しておくキー２８ａと、連続スキャンモード設定を解除する解除キー２９とは操作部８に設けられている。原稿読取センサ２１は、原稿ガラスの下面に走査移動可能に設けられ、原稿面に光照射する発光部と、原稿面からの反射光を受光する受光部とから構成されており、原稿画像を読み取る機能のほか、原稿の有無を検知する原稿検知手段の機能をも持つ。なお、原稿検知手段としては、原稿読取センサ２１とは別に、反射型光センサ等を用いてもよい。また、原稿カバー開閉検知スイッチ７としても、この機械的なものに代えて反射型光センサ等を用いてもよい。
【００１２】
本実施形態のスキャナ付きプリンタ１のコントローラ２０は、原稿カバー６が開閉動作されると、それを検知して、ユーザがスキャン開始の指示を与えなくても、自動的に原稿の有無を検知し、原稿が有れば、画像を走査開始し、走査終了時に再度、原稿の有無を検知し、原稿が残っていれば、原稿取り忘れを報知する。以下、こうしたコントローラ２０による制御手順の詳細を図３、図４のフローチャートを参照して説明する。
【００１３】
図３は、連続スキャンモードが設定されていないときの通常の制御手順を示す。ユーザにより原稿カバー６が開閉されると、原稿カバー開閉検知スイッチ７がそれを検知し（Ｓ１，Ｓ２）、その信号に基づき、コントローラ２０は、原稿読取センサ２１（ＣＩＳ）により自動的に原稿の有無を検知する（Ｓ３）。ここで、原稿載置台４上に原稿３がセットされていなければ、処理は終了となる（Ｓ４）。原稿３がセットされていれば、原稿有り検知となり、コントローラ２０は、原稿読取センサ２１とセンサスキャン装置２２とを稼動させてオートスキャンを開始し（Ｓ５）、印字ヘッド２３と印字ヘッド駆動装置２４とを稼動させてスキャン画像を記録用紙に印刷する（Ｓ６）。
【００１４】
次いで、コントローラ２０は、原稿カバー開閉検知スイッチ７により原稿カバー６の開閉動作の有無を確認し（Ｓ７）、開閉動作が無ければ、原稿取り忘れであると判断して、表示デバイス９によりエラー表示し（Ｓ８）、ユーザに報知する。原稿カバー６の開閉動作が有れば、処理はＳ３に戻り、再び、原稿読取センサ２１により原稿有無を検知し、以下、上記の処理を繰り返す。
【００１５】
こうして、原稿カバー６の開閉動作で自動的に印刷動作を開始させることができる。すなわち、画像スキャン又は印刷スタートボタンを押す手間を省いて画像スキャン又は印刷動作を稼動させるための操作を簡略化することができる。それと同時に、印刷動作の後における原稿取り忘れを防止することができる。なお、原稿カバー６の開閉動作有無の確認は、所定の時間内に制限して行えばよい。
【００１６】
図４は、連続スキャンモードが設定されているときの制御手順を示す。ユーザにより連続スキャンモードを設定する設定キー２８が操作されると、連続スキャン設定が成される（Ｓ１０）。ここに、原稿カバー６が開閉されると、原稿カバー開閉検知スイッチ７がそれを検知し（Ｓ１１，Ｓ１２）、その信号に基づき、コントローラ２０は、原稿読取センサ２１（ＣＩＳ）により自動的に原稿の有無を検知する（Ｓ１３）。ここで、原稿載置台４上に原稿３がセットされていなければ、処理は終了となる（Ｓ１４）。原稿３がセットされていれば、原稿有り検知となり、コントローラ２０は、原稿読取センサ２１とセンサスキャン装置２２とを稼動させてオートスキャンを開始する（Ｓ１５）。ここまでの処理は、上記と同等である。
【００１７】
ここで、オートスキャンした原稿画像を外部メモリカード２６に保存した後（Ｓ１６）、コントローラ２０は、原稿カバー開閉検知スイッチ７により原稿カバー６の開閉動作の有無を確認し（Ｓ１７）、開閉動作が無ければ、上記と同様に、原稿取り忘れであると判断して、表示デバイス９によりエラー表示し（Ｓ１８）、ユーザに報知する。原稿カバー６の開閉動作が有れば、再び、原稿読取センサ２１により原稿の有無を検知する（Ｓ１９）。ここで、原稿が有れば、コントローラ２０は、連続スキャンであると判断して、処理はＳ１５に戻って次のオートスキャンを開始し、以下、上記の処理を繰り返して、走査した原稿画像を順次、外部メモリカード２６に保存する。
【００１８】
連続スキャンの最終原稿のスキャンを終えたときは、Ｓ１９の判断でＮＯとなり、処理はＳ２０に進み、連続印刷キー２８ａが押されているかが判断され、ＹＥＳであれば、外部メモリカード２６に保存した画像を印字ヘッド２３と印字ヘッド駆動装置２４とを稼動させて記録用紙に連続印刷する（Ｓ２１）。連続印刷キー２８ａが押されていないときは、連続スキャンのみで処理を終了する（Ｓ１４）。
【００１９】
こうして、原稿カバー６の開閉動作で自動的に連続原稿スキャン動作を開始させることができると共に、連続スキャン動作又は印刷動作の後における原稿取り忘れを防止することができる。また、連続でスキャンした画像は、一旦、外部メモリカード２６に保存されるので、内蔵のメモリだけでは保存容量に限界があるのに較べて、多数の原稿の連続印刷が可能となり、また、スキャンにより読み取りした後、直ぐにそのデータを持ち運べるといった利点もある。
【００２０】
なお、本発明は、上記実施例の構成に限られることなく、発明の趣旨を変更しない範囲で種々の変形が可能である。例えば、本実施形態では、連続スキャンモード設定について事前に設定しておくものを示したが、このモード設定がない場合にも、１枚の原稿のオースキャンを開始してから、次の原稿のセットが所定時間内に行われたなら、連続スキャン動作であると装置が判断して、連続スキャンモードの同等の動作を行うようにしても構わない。
【図面の簡単な説明】
【００２１】
【図１】本発明の一実施形態に係るスキャナ付きプリンタの外観構成図。
【図２】同プリンタの制御ブロック構成図。
【図３】同プリンタの連続スキャンモードが設定されていないときの通常の制御手順を示すフローチャート。
【図４】同プリンタの連続スキャンモードが設定されているときの制御手順を示すフローチャート。
【符号の説明】
【００２２】
１  スキャナ付きプリンタ
３  原稿
４  原稿載置台
６  原稿カバー
７  原稿カバー開閉検知スイッチ（原稿カバー開閉検知手段）
９  表示デバイス（報知手段）
２０  コントローラ（制御手段）
２１  原稿読取センサ（画像走査手段、原稿検知手段）
２２  センサスキャン装置（画像走査手段）
２３  印字ヘッド（印刷手段）
２４  印字ヘッド駆動装置（印刷手段）
２６  外部メモリカード（記憶手段）
２８  連続スキャンモードを設定する設定キー（選択手段）
【図１】
2006217103.tif 000003
【図２】
2006217103.tif 000004
【図３】
2006217103.tif 000005
【図４】
2006217103.tif 000006